(57)【要約】【課題】折り目線が形成されないなだらかな折り目も付けることができ、且つ手作業でも容易に用紙を巻き折りすることができる紙折器及び用紙の巻き折り方法を提供する。【解決手段】本紙折器１は、折られた用紙９の一方の面が全て谷折りとなる巻き折りを行うための紙折器１であって、天井側端面４１が少なくとも開口し、用紙を丸めた状態で内部に収容することができ、且つ周面２１を紙折器の側面方向に押しつぶすことができる筒状体２を備えることを特徴とする。このような紙折器は、筒状体内に用紙９を入れて丸めた状態とした後、筒状体を紙折器の側面方向に押しつぶすことによって、用紙の決まった位置に折り目を形成することができる。これにより用紙の巻き折りを行うことができる。【選択図】図１
2010047370.tif 000002
【特許請求の範囲】
【請求項１】
折られた用紙の一方の面が全て谷折りとなる巻き折りを行うための紙折器であって、
天井側端面が少なくとも開口し、上記用紙を丸めた状態で内部に収容することができ、且つ周面を上記紙折器の側面方向に押しつぶすことができる筒状体を備えることを特徴とする紙折器。
【請求項２】
上記筒状体の天井側及び／又は底面側に形成されている、該筒状体内に納めた上記用紙の端部を揃えるための端部揃部を更に備える請求項１記載の紙折器。
【請求項３】
上記筒状体は、横断面形状が４角形である筒となるように配置されている４枚の矩形板と、隣り合う該矩形板の長辺側端部同士を長辺の方向を軸として回動可能に接続する軸と、を具備する請求項１又は２記載の紙折器。
【請求項４】
上記筒状体を押しつぶされている状態から筒の状態に戻すように付勢する弾性部材が該筒状体に更に設けられている請求項３記載の紙折器。
【請求項５】
１の上記矩形板の長辺側端部に沿って設けられている紙挿入口を更に具備する請求項３又は４に記載の紙折器。
【請求項６】
上記筒状体の内周面に設けられ且つ該筒状体の変形に合わせて変形するガイド部を更に備える請求項５記載の紙折器。
【請求項７】
上記筒状体に挿入されている上記用紙の端部を揃えるための治具を挿入する端部揃口を上記紙挿入口と隣接する矩形板に更に備える請求項５又は６記載の紙折器。
【請求項８】
中間部が互いに回動可能に固定される２つの棒状体を具備し、各該棒状体の一方側端部が上記筒状体の対向する上記周面に設けられ、各該棒状体の他方側端部を握ることにより該周面を押しつぶすように可動する握り手を更に備える請求項１乃至７のいずれか一項に記載の紙折器。
【請求項９】
請求項１乃至８のいずれか一項に記載の紙折器による用紙の巻き折り方法であって、
上記紙挿入口から用紙を筒状体内に挿入し且つ丸めた状態にし、若しくは、上記紙挿入口から丸めた用紙を該筒状体内に挿入し、
その後、上記筒状体の周面を上記紙折器の側面方向に押しつぶして上記用紙に折り目を形成し、
次いで、上記筒状体から上記折り目を形成した用紙を取り除くことを特徴とする用紙の巻き折り方法。
【発明の詳細な説明】
【技術分野】
【０００１】
本発明は、用紙を巻き折りするための紙折器及び用紙の巻き折り方法に関する。更に詳しくは、本発明は、通常の折り目の他、折り目線が形成されないなだらかな折り目を付けることもでき、且つ手作業でも容易に用紙を巻き折りすることができる紙折器及び用紙の巻き折り方法に関する。
【背景技術】
【０００２】
贈答品の目録、パンフレット及び商品カタログ等の印刷物を折り曲げる方法の一つとして、図６及び７に示すように、用紙９を端から順に谷折りすることによって、表面に全て谷折りの折り目９１が形成することができる巻き折りがある。また、贈答品の目録に用いる用紙は、奉書紙を用いてくっきりとした折り目を付けないように折ることが求められている。
このような用紙の巻き折りを、折り目の位置や方向等のずれがなく行うのは難しい。また、手作業で繰り返し用紙を折り曲げる作業を行うことは、煩雑であり、指先等に負担も掛かる。
更に、手作業で紙を折るときに決まった位置に折り目を付けることができ、作業者の負担を軽減することができる紙折器が提案されている（例えば、特許文献１及び２を参照）。
特許文献１の紙折器は、２つのローラの間に２つ折りした用紙を通すことにより用紙に折り目を設ける紙折器である。
特許文献２の紙折器は、折り目が設けられているシートであり、シートと用紙とを重ね、シートの折り目に沿って折り曲げることにより用紙に折り目を設ける紙折器である。
【０００３】
【特許文献１】実開平０４−１２５２６９号公報
【特許文献２】特開平１０−１２９９２５号公報
【発明の開示】
【発明が解決しようとする課題】
【０００４】
しかし、特許文献１及び特許文献２は、各々２つ折り用、３つ折り用の紙折器であり、巻き折りについては十分に検討されていない。また、対象となる用紙の大きさが１種類のみであり、４つ折等の異なる折数に用いることができなかった。更に、これらはくっきりとした線状の折り目を形成するための紙折器であり、贈答品の目録等の線が形成されない、なだらかな折り目を付ける用途には適さなかった。
本発明は、上記の従来の問題を解決するものであり、通常の折り目の他、折り目線が形成されないなだらかな折り目を付けることができ、且つ手作業でも容易に用紙を巻き折りすることができる紙折器及び用紙の巻き折り方法を提供することを目的とする。
【課題を解決するための手段】
【０００５】
本紙折器及び用紙の巻き折り方法は、以下の通りである。
１．折られた用紙の一方の面が全て谷折りとなる巻き折りを行うための紙折器であって、天井側端面が少なくとも開口し、上記用紙を丸めた状態で内部に収容することができ、且つ周面を上記紙折器の側面方向に押しつぶすことができる筒状体を備えることを特徴とする紙折器。
２．上記筒状体の天井側及び／又は底面側に形成されている、該筒状体内に納めた上記用紙の端部を揃えるための端部揃部と、を更に備える上記１．記載の紙折器。
３．上記筒状体は、横断面形状が４角形である筒となるように配置されている４枚の矩形板と、隣り合う該矩形板の長辺側端部同士を長辺の方向を軸として回動可能に接続する軸とを具備する上記１．又は上記２．記載の紙折器。
４．上記筒状体を押しつぶされている状態から筒の状態に戻すように付勢する弾性部材が該筒状体に更に設けられている上記３．記載の紙折器。
５．１の上記矩形板の長辺側端部に沿って設けられている紙挿入口を更に具備する上記３．又は上記４．記載の紙折器。
６．上記筒状体の内周面に設けられ且つ該筒状体の変形に合わせて変形するガイド部を更に備える上記５．記載の紙折器。
７．上記筒状体に挿入されている上記用紙の端部を揃えるための治具を挿入する端部揃口を上記紙挿入口と隣接する矩形板に更に備える上記５．又は上記６．記載の紙折器。
８．中間部が互いに回動可能に固定される２つの棒状体を具備し、各該棒状体の一方側端部が上記筒状体の対向する上記周面に設けられ、各該棒状体の他方側端部を握ることにより該周面を押しつぶすように可動する握り手を更に備える上記１．乃至上記７．のいずれかに記載の紙折器。
９．上記１．乃至上記８．のいずれかに記載の紙折器による用紙の巻き折り方法であって、上記紙挿入口から用紙を筒状体内に挿入し且つ丸めた状態にし、若しくは、上記紙挿入口から丸めた用紙を該筒状体内に挿入し、その後、上記筒状体の周面を上記紙折器の側面方向に押しつぶして上記用紙に折り目を形成し、次いで、上記筒状体から上記折り目を形成した用紙を取り除くことを特徴とする用紙の巻き折り方法。
【発明の効果】
【０００６】
本発明の紙折器によれば、筒状体内に用紙を入れて丸めた状態とした後、筒状体を紙折器の側面方向に押しつぶすことによって、用紙の決まった位置に折り目を形成することができる。また、折り目がはっきりした巻き折りを行うに限られず、位置決めがより難しいなだらかな折り目を位置ずれすることなく形成することができる。このように折り目を位置ずれすることなく形成することができるのは、丸めた用紙を押しつぶすようにして折り目を形成することができるためである。更に、様々な長さの用紙を筒状体内に入れて押しつぶすことによって、様々な数の折り目を形成することができる。
【０００７】
また、端部揃部を更に備える場合は、端部揃部によって用紙を治具によって底面側に押しつけて端部を揃えることができるため、より正確な折り目を形成することができる。
更に、横断面形状が４角形状の筒状体とする場合は、紙折器を金属板及び硬質樹脂板等を用いて構成することが容易であり、本紙折器を容易に作製することができる。
また、弾性部材が筒状体に設けられている場合は、筒状体の周面を押しつぶす力がなくなったときに、弾性部材により筒状体の形状が元に戻るため、筒状体内に用紙を入れやすく、且つ筒状体から折り目を付けた用紙を容易に取り出すことができる。
更に、紙挿入口が、１の矩形板の長辺側端部に沿って設けられている場合は、筒状体内に用紙を挿入することが容易であり、且つ、筒状体内に挿入された用紙が、筒状体の内周面に沿って、筒状体を周回して丸まるため、やわらかな紙質である用紙であっても筒状体内で拡がった状態で丸まることができ、用紙の決まった位置に折り目を形成することがより容易となる。
また、ガイド部を更に備える場合は、紙挿入口から用紙を筒状体内に挿入しても、筒状体の内壁等に用紙が引っ掛かり、筒状体内に用紙が収納できなくなることを抑制することができる。
更に、端部揃口を更に備える場合は、用紙を筒状体内に挿入後、端部揃口から治具等を用いて用紙の端部を押し込むことによって揃えることができるため、より正確な折り目を形成することができる。
また、握り手を更に備える場合は、握り手を握ることにより筒状体を押しつぶすことができるため、紙折器を用いて手作業によって用紙に折り目を形成することがより容易となる。
【０００８】
本発明の用紙の巻き折り方法によれば、用紙の決まった位置に折り目を形成することができる。また、用紙を押しつぶすようにして折り目を形成することができるため、はっきりした折り目を形成することもできるし、なだらかな折り目を形成することもできる。更に、必要な折り目を一度に形成することができるため、位置決めがより難しいなだらかな折り目を形成する場合であっても、決まった位置に折り目を形成することができる。
【発明を実施するための最良の形態】
【０００９】
以下、図１〜１２を参照しながら本発明の紙折器及び用紙の巻き折り方法を詳しく説明する。
本発明の紙折器は、天井側端面が少なくとも開口し、用紙を丸めた状態で内部に収容することができ、且つ周面を紙折器の側面方向に押しつぶすことができる筒状体を備えることを特徴とする。
本紙折器によって折ることができる上記「用紙」の種類は特に問わず、例えば奉書紙等の和紙、普通紙コピー機用紙（ＰＰＣ用紙ともいう）等の洋紙等を挙げることができる。
【００１０】
上記「筒状体」は、その内部の空間に用紙を丸めた状態で納めることができる大きさの筒状体である。筒状体は、周面が紙折器の側面方向に押しつぶされる、つまり図４及び１２に例示するように、その周面２１、２４の１箇所２１１、２４１が、対向する反対側の周面２１２、２４２と接近するように押しつぶされることによって、内部に納められている用紙９を折り曲げ、折り目を形成することができる。このような折り目は図５に例示するように、折り目を形成した用紙９を外周側が下側になるように広げたとき、全ての折り目の角が下方に向く、「谷折り」となる。尚、折り目を形成された用紙は、開口する天井側端面から取り出すことができるが、これに限らず任意の手段により取り出すことができる。
また、筒状体の大きさは、巻き折りを行う用紙の大きさ及び巻き折りの数に応じて適宜選択される。筒状体の内周に沿って用紙が丸められることから、筒状体が押しつぶされている状態の長さが巻き折りの間隔となるためである。
筒状体の材質は金属及び樹脂等を特に問わない。材質が容易に押しつぶされることがない硬質の場合は、図４に例示するように、軸２２の部分で周面である矩形板２１を回動することにより筒状体２及びそれに納められている用紙９を押しつぶすことができる。また、押しつぶすことで撓むことができる軟質の場合は、図１２に例示するように、周面自体を撓ませることによって筒状体を押しつぶし、用紙に折り目を形成することができる。
筒状体の横断面形状は、特に問わず四角形状（例えば図１を参照）、円形状（例えば図１０を参照）、六角形状等を挙げることができる。
【００１１】
筒状体を押しつぶすことができる方法は特に問わず、例えば図１に例示するように、筒状体の軸と平行な軸２２によって周面を構成する各矩形板２１を回動可能とし、軸２２に沿って回動することにより図４に示すように筒状体を押しつぶす方法を挙げることができる。また、図１０及び１２に例示するように、可撓性を備える筒状体を押しつぶす方法を挙げることができる。
更に、筒状体を押しつぶす手段も任意に選択することができ、例えば、図８に例示するように、中間部を支点７２として互いに回動可能に固定される２つの棒状体７１を具備し、各棒状体７１の一方側端部７３が筒状体２の対向する周面２１に設けられ、各棒状体７１の他方側端部７４を握ることにより周面２１を押しつぶすように可動する握り手７を設け、握り手７によるテコを用いて筒状体２を押しぶすことを挙げることができる。また、筒状体を手で直接押しつぶす、モータ等の動力を用いて押しつぶす等を例示することができる。
尚、筒状体を押しつぶす際に、折り目が形成される部位を全て押しつぶさない場合は、なだらかな折り目を形成することができる。また、全て押しつぶされて密着する場合は、折り目線が形成される折り目を形成することができる。
【００１２】
更に、押しつぶされた筒状体を元の形状に戻す手段は任意に選択することができ、例えば、バネ等の上記「弾性部材」の弾性を用いて弾性部材が設けられている隣り合う周面２１を拡げる（例えば図４及び５を参照）、筒状体自身の弾性による復元力を用いる（例えば図１０、１２を参照）、任意の手段を用いて筒状体の周面を引っ張る、等を挙げることができる。
【００１３】
上記「端部揃部」は、筒状体の天井面側及び／底面側の端部に形成することができ、筒状体を押しつぶして用紙に折り目を形成する前に、丸まっている用紙の端部を同じ位置に揃えるために用いる。この端部揃部は、任意に選択することができ、用紙の端部を押しつけて揃えるための揃え治具（例えば、図９に例示する筒状体を貫通する棒状体である端部揃部５２を挙げることができる。）を挙げることができる。また、上記揃え治具や、別途用意する筒状体の底面開口部を塞ぐ板状体等に用紙を押しつける押しつけ治具を筒状体内に挿入して該用紙の端部に到達させるために設けられている凹部（例えば、図３に示す押しつけ治具８より大きな凹部状の端部揃部５１を挙げることができる）等をいう。また、端部揃部に挿入する押しつけ治具は、用紙を押すことができればよく、棒状体や指等を用いることができる。尚、図３に示す凹部状の端部揃部５１は、筒状体内の用紙を取り出すときに用紙を摘むために用いることもできる。
【００１４】
筒状体は、紙挿入口を更に設けることができる。例えば筒状体が、図１に例示するように、横断面形状が４角形である筒となるように配置されている４枚の矩形板２１と、隣り合う矩形板２１の長辺側端部同士を長辺の方向を軸として回動可能に接続する軸２２とを具備する場合、矩形板の長辺側端部に沿って紙挿入口４を設けることができる。
上記「紙挿入口」は、用紙を筒状体内に挿入するときに用いる開口部であり、任意の場所に任意の数を設けることができる。例えば、図１に例示するように筒状体２の周面２１に軸方向に長いスリット状の開口部を形成した紙挿入口４を設けることができる。このような紙挿入口４は、用紙を丸めずに紙挿入口４に挿入することができる。また、用紙９は、筒状体２に順次押し込まれるため、筒状体２の内周に沿って丸められる。
また、筒状体２の一端面である天井側開口部４１を紙挿入口としてもよい。このような紙挿入口は、予め筒状体の内径より小さく丸めた用紙を挿入するために用いられる。
【００１５】
上記「ガイド部」は、筒状体の周面に設けられた紙挿入口から用紙を挿入したときに、用紙が筒状体の内周で引っ掛かることなく摺動して丸めることができるようにするためのガイドである。このようなガイド部は、用紙を挿入するときの摺動方向において、用紙の摺動を阻害する突起及び段差等をなくす面を形成することができる。
このようなガイド部は任意に選択することができ、例えば用紙の摺動が容易な平滑な平面を備える樹脂等からなるシートを筒状体の内側に設けることを挙げることができる。また、図１０に例示するように、筒状体２ａの周面２４自体をガイド部３として、用紙を摺動させるようにしてもよい。
また、筒状体とガイド部との間に緩衝部を設けることができる。この「緩衝部」は、筒状体の側面を押しつぶしたときに、図４の緩衝部３１に例示するように、用紙９がガイド部３によって押しつぶされるように変形する任意の材質から選択される弾性体である。これによって、筒状体２を押しつぶす力が用紙９に伝達し、必要な折り目を用紙９に形成することができる。
【００１６】
上記「端部揃口」は、筒状体に挿入されている用紙の端部を揃える治具を挿入するために筒状体に形成されている開口部である。筒状体の軸方向と平行な用紙の縦側端部（図７に例示する用紙の縦側端部９３を参照。）を端部揃口から押し込んだ治具で押し、該縦側端部の位置を端部揃口の端部（例えば、図１に示す端部揃口６の端部６１を挙げることができる。）の位置等に揃えることにより、該縦側端部の位置が常に同じ位置となり、用紙の位置及び向きを揃えることができる。これによって、折り目を形成する位置が決まった位置にすることができ、且つ平行な折り目を形成することができる。
このような端部揃口は、例えば図１に示す端部揃口６のように、筒状体２に挿入されている用紙の該縦側端部を押すことができる位置に任意の数だけ設けることができる。また、端部揃口に挿入する治具は、用紙を押すことができればよく、棒状体や指等を用いることができる。
【００１７】
本紙折器による用紙の巻き折り方法は、（１）紙挿入口から用紙を筒状体内に挿入し且つ丸めた状態にし、若しくは、紙挿入口から丸めた用紙を該筒状体内に挿入し、
（２）その後、上記筒状体の周面を上記紙折器の側面方向に押しつぶして上記用紙に折り目を形成し、
（３）次いで、上記筒状体から上記折り目を形成した用紙を取り除くことを特徴とする。
【００１８】
筒状体に用紙を収める方法は任意に選択することができ、用紙を丸めずに紙挿入口から用紙を筒状体内に挿入し、筒状体の内周面に沿って用紙が丸まることを利用して丸めてもよい。また、予め丸めた用紙を筒状体に挿入してもよい。
【実施例】
【００１９】
以下、図面に基づき本実施例の紙折器及び用紙の巻き折り方法を具体的に説明する。
１．紙折器の構成
本紙折器１は、図１及び図２に示すように、横断面形状が４角形の筒状体２と、筒状体２の内周面に設けられるガイド部３と、筒状体２及びガイド部３の間に設けられている緩衝部３１と、筒状体２の天井面側に形成されている端部揃部５１と、を備える。
筒状体２は、横断面形状が４角形である筒となるように配置されている同じ大きさの４枚の金属製矩形板２１と、隣り合う矩形板２１の長辺側端部同士を長辺の方向を軸として回動可能に接続する蝶番からなる軸２２とを具備する。また、隣り合う矩形板２１には板バネからなる弾性部材２３が設けられており、横断面形状が正方形となる方向に付勢されている。
このような筒状体は、図４に示すように、対向する角部２１１、２１２が近くなる方向に筒状体２を押しつぶすことができる。更に、筒状体２を押しつぶす力をなくすと弾性部材２３により図５に示す形状に戻ることができる。
【００２０】
ガイド部３は平滑な樹脂板を略筒状に丸めたものであり、紙挿入口４から挿入される用紙９の端部がガイド部３の内周面を摺動して、筒状体２内で引っ掛かることなく図１に示すように丸まるように設けられている。
端部揃部５１は、Ｕ字形状の凹部であり、対向する２つの矩形板２１の天井面側の端部に設けられている。また、図３に示すように、棒や指等を押しつけ治具８として各端部揃部５１にまたがるように筒状体２内に挿入することで、筒状体２内の用紙９の端部を底面側に押しこみ、筒状体２の底面側開口部４２を塞ぐ板材等に押しつけることによって横側端部９２を揃えることができる。尚、本実施例における端部揃部５１は、図１における左右方向に位置する矩形板２１に設けられているがこれに限られず、上下方向に位置する矩形板２１に設けてもよいし、全ての矩形板２１に設けてもよい。また、押しつけ治具８として各端部揃部５１にまたがるように筒状体２内に挿入するに限られず、一方の端部揃部５１を介して筒状体２内に挿入してもよい。
更に、矩形板２１の１つには、図１及び図２に示すように、用紙の幅の長さのスリット状開口部である紙挿入口４がその矩形板２１の長辺側端部に沿って形成されている。
また、紙挿入口４が設けられている矩形板２１と隣接する矩形板２１には、紙挿入口４と隣り合うように２つの端部揃口６が設けられている。これら端部揃口６は、棒や指等を押さえ治具として挿入することができ、筒状体２の長尺方向に平行な用紙９の端部（図７における縦側端部９３）に押さえ治具を押さえつけて揃えることができる。
【００２１】
２．用紙の巻き折り方法
このような構成の紙折器１を用いて、用紙９を巻き折りする方法を説明する。
（１）始めに紙挿入口４から用紙９を挿入し、図１及び２に示すように、筒状体２内に用紙９を丸めた状態で収める。紙挿入口４から用紙９を挿入することによって、やわらかな紙質であっても、筒状体２内のガイド部３の表面に沿って丸まってゆき、用紙がガイド部に張り付くように拡がった状態で丸まるため、筒状体２内における用紙９の位置が一定となり、用紙の決まった位置に折り目を形成することがより容易となる。
（２）その後、筒状体２の底面側開口部４２を板材等により塞いだり、筒状体２内に挿入可能な揃え治具を挿入し、次いで図３に示すように押しつけ治具８を各端部揃部５１から筒状体２内に挿入し、筒状体２内の用紙９の横側端部９２を底面側に押しつけたりすることによって、横側端部９２を揃える。
また、端部揃口６から押さえ用の治具を挿入して、筒状体２の長尺方向に平行な用紙９の端部（図７における縦側端部９３）を押さえつけることによって、筒状体２内の用紙９の縦側端部９３の位置を紙挿入口４に近接する端部揃口６の端部６１に揃える。
【００２２】
（３）次いで、図４に示すように、対向する角部２１１、２１２が近くなる方向に力を加えて筒状体２を押しつぶす。このとき、ガイド部３、緩衝部３１及び用紙９も共に押しつぶされ、用紙９に折り目が形成される。尚、なだらかな折り目を形成する場合は、角部２１１、２１２が近接するまで筒状体２を押しつぶすことを行わず、用紙９に折り目が形成される程度に筒状体２を押しつぶす。
（４）その後、筒状体２に加える力をなくして、図５に示すように弾性部材２３により筒状体２を元の形に戻し、図２に示す天井側開口部４１から折り曲げた用紙９を取り出す。このとき、端部揃部５１に位置する用紙９を摘むことにより、容易に用紙９を取り出すことができる。
取り出された用紙９は、図６に示すように、巻き折りになっており、図７に示すように、丸めたときに内周側になっていた一方の面が全て谷折りの折り目９１が形成されている。
このように本実施例の紙折器１は、用紙９の決まった位置に折り目９１を形成することができる。また、ガイド部３によって用紙９を詰まることなく筒状体２内に挿入して、ガイド部３に張り付くように拡がった状態で丸めることができるために用紙９の位置ずれが起きることがない。更に、端部揃部５１によって、押しつけ治具８により用紙９の横側端部９２を揃えることが容易である。また、端部揃口６によって、用紙９の折り目９１を形成する位置が決まった位置にすることができ、且つ平行な折り目９１を形成することができる。これらによって、必要な折り目９１を一度に形成することができる、更に、なだらかな折り目９１を形成する場合であっても、決まった位置に折り目９１を形成することができる。
【００２３】
３．他の実施の態様
本発明においては、前記実施例に示すものに限られず、目的、用途に応じて本発明の範囲内で種々変更した態様とすることができる。
（１）例えば、図８に示すように、２つの棒状体７１と、各棒状体７１の中間部に設けられ且つ互いを回動可能に固定する支点７２とを備える紙折器１ａとすることができる。また、各棒状体７１の一方側端部７３は筒状体２の対向する角部２１１、２１２に取り付けられ、他方側端部７４には握りやすくするためのグリップが設けられている。更に、棒状体７１の間に設けられている板バネである弾性部材７５によって両方の端部７３が広がるように付勢されている。
このような紙折器１ａは、他方側端部７４のグリップを握ることにより筒状体２を容易に押しつぶすことができるため、紙折器１ａを用いて手作業によって用紙９に折り目９１を形成することがより容易となる。また、押しつぶした後に他方側端部７４のグリップを離すと、弾性部材７５により元の状態に戻るため、次の折り目形成を容易に行うことができる。
【００２４】
（２）更に、図９に示すように、筒状体２の底面側開口部４２の端部に底面を横断するように端部揃部である棒状体の端部揃部５２を設ける紙折器１ｂとすることができる。端部揃部５２は、隣接する２つの矩形板２１にそれぞれ設けられている穴を貫通しており、端部が他の端部揃部５２と接続されて一体としている。また、端部揃部５２は、筒状体２内の用紙９の横側端部９２が接触するように設けられている。更に、前記穴は端部揃部５２の径よりも十分に大きいため、筒状体２を押しつぶすときに穴と端部揃部５２が引っ掛かって押しつぶす妨げになることがない。
このような紙折器１ｂは、筒状体２内の用紙９の横側端部９２を端部揃部５２に押しつけることにより、横側端部９２を揃えることができる。
【００２５】
（３）また、図１０に示すように、樹脂等の撓みやすい材質を用いた周面２４を備える略円筒形の筒状体２ａを具備する紙折器１ｃとすることができる。更に、周面２４の内面が平滑であるためガイド部３としても機能する。また、図１１に示すように周面２４には筒の軸方向に切断された箇所が設けられており、折り曲げた用紙９を容易に取り出すことができる。
このような紙折器１ｃは、図１２に示すように、上記切断箇所を挟持具２５で固定した後、筒状体２ａを押しつぶして撓ませることにより、収められている用紙９に折り目９１を形成することができる。
【００２６】
（４）また、本紙折器は、手作業による巻き折りに用いられるに限られず、自動による紙折りに用いることができる。
例えば、図１及び２に示す紙折器１に、紙挿入口４から用紙９を筒状体２内に挿入する用紙供給装置、軸２２を押して図４に示すように筒状体２を押しつぶす押しつぶし装置、並びに筒状体２の天井側開口部４１から折られた用紙９を押して、筒状体２の底面側開口部４２から排出させる排出装置を設け、これら装置を順次動作させることを繰り返すことにより、紙折りを繰り返して行うことができる。尚、排出装置は、筒状体２の底面側開口部４２から折られた用紙９を押して、筒状体２の天井側開口部４１から排出させるようにしてもよい。
【図面の簡単な説明】
【００２７】
【図１】本実施例の紙折器の構成を説明するための天井側から見た模式斜視図である。
【図２】本実施例の紙折器の構成を説明するための底面側から見た模式斜視図である。
【図３】紙折器に押さえ治具を挿入して用紙の端部を揃える様子を説明するための模式斜視図である。
【図４】紙折器に用紙を入れ、折り目を形成している様子を説明するための模式平面図である。
【図５】折り目を形成後、筒状体を元に戻した様子を説明するための模式平面図である。
【図６】巻き折りした用紙の折り目を説明するための部分拡大した模式斜視図である。
【図７】巻き折りした用紙を展開した状態を表す模式斜視図である。
【図８】握り手を具備する紙折器を説明するための模式平面図である。
【図９】棒状の端部揃部を具備する紙折器を説明するための模式斜視図である。
【図１０】略円筒形の筒状体を備える紙折器を説明するための模式斜視図である。
【図１１】略円筒形の筒状体を開いて用紙を入れている様子を説明するための模式斜視図である。
【図１２】略円筒形の筒状体を備える紙折器を押しつぶした状態を説明するための模式平面図である。
【符号の説明】
【００２８】
１、１ａ、１ｂ、１ｃ；紙折器、２、２ａ；筒状体、２１；矩形板（周面）、２２；軸、２３、７５；弾性部材、２４；周面、２５；挟持具、３；ガイド部、３１；緩衝部、４；紙挿入口、４１；天井側開口部、４２；底面側開口部、５１、５２；端部揃部、６；端部揃口、７；握り手、８；押しつけ治具、９；用紙、９１；折り目。
【図１】
2010047370.tif 000003
【図２】
2010047370.tif 000004
【図３】
2010047370.tif 000005
【図４】
2010047370.tif 000006
【図５】
2010047370.tif 000007
【図６】
2010047370.tif 000008
【図７】
2010047370.tif 000009
【図８】
2010047370.tif 000010
【図９】
2010047370.tif 000011
【図１０】
2010047370.tif 000012
【図１１】
2010047370.tif 000013
【図１２】
2010047370.tif 000014